(57)【要約】      （修正有）【課題】温度を示す機能を有するコップ用蓋を提供する。【解決手段】対向する上面と下面を有する蓋本体１０と、蓋本体に設けられた少なくとも１種類のサーモカラーを含む示温手段１１を備える。示温手段は、コップ用蓋が被冠したコップの内容物に接触せずに内容物の温度を感知し、感知された温度が属する範囲に対応した色を示す。示温手段が示す色を見るだけで内容物の温度が飲用に適しているのかを判断でき、熱傷を防止できる。【選択図】図２
0003207320.tif 000002
【実用新案登録請求の範囲】
【請求項１】
温度を示す機能を有するコップ用蓋であって、
対向する上面と下面を有する蓋本体と、
前記蓋本体に設けられ少なくとも１種類のサーモカラーを含みコップ用蓋が被冠したコップの内容物に接触せずに前記内容物の温度を感知し、感知された温度が属する範囲に対応した色を示す示温手段と、
を備える、コップ用蓋。
【請求項２】
前記範囲は６〜８℃、１０〜１２℃、または、３６〜７５℃である、請求項１に記載のコップ用蓋。
【請求項３】
前記範囲は５０〜７０℃である、請求項２に記載のコップ用蓋。
【請求項４】
前記示温手段は前記蓋本体の上面に設けられている、請求項１に記載のコップ用蓋。
【請求項５】
前記示温手段は前記蓋本体の下面に設けられ、
前記蓋本体は透明または半透明の材質からなる、請求項１に記載のコップ用蓋。
【請求項６】
前記示温手段は前記蓋本体に嵌合している、請求項１に記載のコップ用蓋。
【請求項７】
前記示温手段は前記蓋本体に貼付けられている、請求項１に記載のコップ用蓋。
【請求項８】
前記示温手段は前記蓋本体に塗布または印刷されている、請求項１に記載のコップ用蓋。
【請求項９】
前記示温手段は、積層または混合した少なくとも２種類のサーモカラーを含む、請求項１に記載のコップ用蓋。
【請求項１０】
前記示温手段と離間して前記蓋本体の一端に設けられ前記蓋本体の上面と下面を連通する通気口と、
前記蓋本体の前記通気口の位置に対向する他端に設けられ前記蓋本体の上面と下面を連通する飲み口と、
をさらに備える、請求項１に記載のコップ用蓋。
【請求項１１】
前記示温手段は、前記蓋本体の係合部の上面に揃った平面に最も遠いまたは次に遠い前記蓋本体の上面、または、前記蓋本体の係合部の底端に揃った前記蓋本体の下面に設けられている、請求項１に記載のコップ用蓋。
【考案の詳細な説明】
【技術分野】
【０００１】
本考案は、コップ用蓋に関するものであり、特に温度を示す機能を有するコップ用蓋に関するものである。
【背景技術】
【０００２】
現代社会において、外食人口の増加にしたがって、手軽に飲食できる拠点であるドリンクバー、コンビニエンスストア、ファストフードチェーン店が増えつつある。利便さと速さを追求するために、紙やプラスチック、ＰＰ発泡剤などの材質からなり、使用後に洗わずに廃棄する使い捨て食器が用いられ、顧客に提供される。
【０００３】
使い捨てコップの例として、ホットドリンクやホットスープが入った使い捨てコップは、持ちやすくかつ熱傷しないように、断熱のためのダンボール製カバーをコップ本体に装着したり、蓋を被冠したり、本体がＰＰ発泡剤からなるコップが使用したりされている。
【考案の概要】
【考案が解決しようとする課題】
【０００４】
しかし、コップ本体に装着したカバーによる断熱効果により、内容物の温度を確認せずに飲用して熱傷する事故がしばしば発生している。
【０００５】
したがって、接触せずにコップに入った内容物の温度が飲用に適しているかを注意させる手段が求められている。
【課題を解決するための手段】
【０００６】
上記課題を解決するために、本考案は、温度を示す機能を有するコップ用蓋であって、対向する上面と下面を有する蓋本体と、前記蓋本体に設けられ少なくとも１種類のサーモカラーを含みコップ用蓋が被冠したコップの内容物に接触せずに前記内容物の温度を感知し、感知された温度が属する範囲に対応した色を示す示温手段と、を備える、コップ用蓋を提供することを目的とする。
【０００７】
前記範囲は６〜８℃、１０〜１２℃、または、３６〜７５℃であることが好ましい。
【０００８】
また、前記範囲は５０〜７０℃であることがさらに好ましい。
【０００９】
前記示温手段は前記蓋本体の上面に設けられていてもよい。
【００１０】
また、前記示温手段は前記蓋本体の下面に設けられ、前記蓋本体は透明または半透明の材質からなってもよい。
【００１１】
前記示温手段は前記蓋本体に嵌合していてもよい。
【００１２】
前記示温手段は前記蓋本体に貼付けてられていてもよい。
【００１３】
前記示温手段は前記蓋本体に塗布または印刷されていてもよい。
【００１４】
前記示温手段は、積層または混合した少なくとも２種類のサーモカラーを含んでもよい。
【００１５】
また、コップ用蓋は、前記示温手段と離間して前記蓋本体の一端に設けられ前記蓋本体の上面と下面を連通する通気口と、前記蓋本体の前記通気口の位置に対向する他端に設けられ前記蓋本体の上面と下面を連通する飲み口と、をさらに備えることが好ましい。
【００１６】
前記示温手段は、前記蓋本体の係合部の上面に揃った平面に最も遠いまたは次に遠い前記蓋本体の上面、または、前記蓋本体の係合部の底端に揃った前記蓋本体の下面に設けられていることが好ましい。
【考案の効果】
【００１７】
本考案に係る温度を示す機能を有するコップ用蓋を使用して高温の内容物が入ったコップを被冠した場合、内容物の温度がコップ用蓋または示温手段に伝わって、コップ用蓋に設けられた示温手段がコップの内容物に接触せずに内容物の温度を感知し、その時点の内容物の温度に対応した色、または、その温度が属する範囲に対応した色を表示する。コップ用蓋に設けられた示温手段が示す色を見るだけで内容物の温度が飲用に適しているのかを判断でき、熱傷を防止する効果を奏する。また、本考案に係る温度を示す機能を有するコップ用蓋は、低温の内容物にも適応できる。
【図面の簡単な説明】
【００１８】
【図１】本考案に係るコップ用蓋の平面図である。
【図２】図１のＡ−Ａに沿って切断した本考案に係るコップ用蓋の使用状態を示す図である。
【図３Ａ】本考案の第１実施例を示す断面図である。
【図３Ｂ】本考案の第２実施例を示す断面図である。
【図４Ａ】本考案の第３実施例を示す断面図である。
【図４Ｂ】本考案の第４実施例を示す断面図である。
【図５Ａ】本考案の第５実施例を示す断面図である。
【図５Ｂ】本考案の第６実施例を示す断面図である。
【図６Ａ】本考案の第７実施例を示す断面図である。
【図６Ｂ】本考案の第８実施例を示す断面図である。
【図６Ｃ】本考案の第９実施例を示す断面図である。
【考案を実施するための形態】
【００１９】
以下、本考案の実施形態について、特定の実施例を用いて次のように説明する。また、当業者であれば、本明細書の開示内容により本考案の他の利点および効果を理解できる。
【００２０】
まず、図１、２を同時に参照すると、本考案に係るコップ用蓋１は、温度を示す機能を有し、上面１０１と下面１０２を有する蓋本体１０と、蓋本体１０に設けられる示温手段１１と、を備える。
【００２１】
本考案に係るコップ用蓋１は、さらに、蓋本体１０の一端に設けられ蓋本体１０の上面１０１と下面１０２を連通する通気口１０４と、蓋本体１０の通気口１０４の位置に対向する他端に設けられ蓋本体１０の上面１０１と下面１０２を連通し開閉可能な飲み口１０３と、蓋本体１０の周縁に設けられ、コップ用蓋１がコップに被冠できるようにコップの口径に対応した内径を有する係合部１２と、を備える。通気口１０４と飲み口１０３はともに蓋本体１０の上面１０１と下面１０２を連通し、使用にあたって、コップ２の内容物３が飲み口１０３を介して飲みやすくなるように空気が通気口１０４を通してコップ２に出入りする。
【００２２】
示温手段１１は、蓋本体１０に設けられ、コップ用蓋１が被冠したコップ２の内容物３に接触せずに内容物の温度を感知し、感知された温度が属する範囲に対応した色を表示する。示温手段１１は少なくとも１種類のサーモカラーを含む。サーモカラーとは、マイクロカプセルでサーモクロミック物質（例えば液晶材料やロイコ染料（Ｌｅｕｃｏ  ｄｙｅｓ））を内包し温度の変化によって変色または本来の色が消える材料である。サーモクロミック物質は、温度が変化するときに、化学変化または物理変化、例えば変色、消色、透明化、または、液晶分子の配列の変更により異なる色を表現する。サーモクロミック物質を配合することにより、可逆性消色や可逆性発色、可逆性変色、所定温度範囲での発色、不可逆性消色、不可逆性発色、不可逆性変色などの変色パターンの示温手段１１が製造される。また、サーモカラーは、変色させる温度として、−５℃や０℃、５℃、１０℃、３０℃、４５℃、６０℃、７０℃など、単一や多数の所定温度値が挙げられるが、これらに限定されず、表す色として、赤やオレンジ、黄、緑、ブルー、黒の表色系または他の表色系、あるいはこれらの表色系の組合せなどが挙げられるが、これらにも限定されない。すなわち、本考案において、サーモカラーには、所定の温度値と表色系が限定されない。
【００２３】
本考案の示温手段１１は、通気口１０４と離間して蓋本体に設けられる。示温手段１１は、蓋本体１０の上面１０１に設けられてもよく、また、蓋本体１０の下面１０２に設けられてもよい（図５Ｂを参照）。示温手段１１が蓋本体１０の下面１０２に設けられる場合、観察しやすくするために、蓋本体１０は透明または半透明の材質からなることが好ましい。なお、本考案において、示温手段１１は蓋本体１０の上面または下面に位置する形態に限定されず、例えば、蓋本体１０の中央や他の部分に設けられてもよい。
【００２４】
示温手段１１は少なくとも１種類のサーモカラーが含まれるので、コップ２に高温の内容物３が入った場合、内容物３の熱が蓋本体１０の下面１０２に設けられた示温手段１１、または、蓋本体１０の下面１０２から蓋本体１０の上面１０１に設けられた示温手段１１に伝わり、所定温度（例えば４５℃や６０℃、７０℃）に達した場合に、示温手段１１に含まれるサーモカラーが温度によって変色して示温手段１１に第１の色、例えば赤を示すが、これに限定されない。この色の変化によりコップ２の内容物３は、まだ高温であることを示し、飲用に際し熱傷のないように注意させる。コップ２の内容物３の温度が所定温度以下に下がった場合、示温手段１１に含まれるサーモカラーが温度によって変色して示温手段１１に第２の色、例えばブルーを示すが、これに限定されない。この色の変化によりコップ２の内容物３は飲用に適している温度になったことを示す。
【００２５】
本考案に係るコップ用蓋１によれば、示温手段１１が感知した温度とコップ２の内容物３の温度とは、実際に１〜１５℃程度の差がある。したがって、温度を示して熱傷を防止するように、示温手段の変色温度範囲は６〜８℃、１０〜１２℃、または、３６〜７５℃であることが好ましい。また、ホットドリンクに対応する場合は、温度範囲は５０〜７０℃であることがさらに好ましいが、これに限定されず、当業者であれば、必要に応じて適切に調節することができる。
【００２６】
本考案の示温手段１１は、常温範囲と高温範囲を区別して異なる色を表現するだけではなく、必要に応じてサーモカラーを配合することによって、低温範囲を区別して他の色を表現することもできる。例えば、示温手段１１は、コップの内容物に接触せずに第１温度（例えば４５℃）以上の温度を感知した場合に第１色を示し、コップの内容物に接触せずに第１温度未満かつ第２温度（例えば６℃）以上の温度を感知した場合に第２色を示し、コップの内容物に接触せずに第２温度未満の温度を感知した場合に第３色を示す例を挙げられる。これによって、示温手段１１に温度が属する範囲に対応した色を示させることができ、本考案に係るコップ用蓋をクール／ホットの内容物の温度の感知に適用させることができる。
【００２７】
示温手段１１は、蓋本体１０に嵌合して設けられてもよく、例えば、図３Ａに示すように蓋本体１０の上面１０１に嵌合して設けられ、または、図３Ｂに示すように蓋本体１０の下面１０２に嵌合して設けられてもよいが、本考案はこれに限定されない。このような実施例において、所定温度で変色するサーモカラーを予めプラスチックチップ、例えば二軸延伸ポリプロピレンフィルム（Oriented  Polypropylene  film、ＯＰＰフィルム）に塗布または印刷して示温手段１１を形成しておき、オートマチックマシン、例えばロボットによって形成された示温手段１１を型内の所定の位置に配置して埋め込み射出成形法を用いて射出成形機によりプラスチック粒子、例えばポリプロピレン（ＰＰ）粒子を型内に射出することにより、示温手段１１が蓋本体１０の上面１０１に嵌合して設けられたコップ用蓋１が形成される。
【００２８】
また、所定温度で変色するサーモカラーを予めプラスチックチップ、例えばＯＰＰやＰＥＴ、ＰＳフィルムに塗布または印刷し、さらに、接着ための耐熱シールをプラスチックチップに塗布して示温手段１１を形成しておき、幅１ｍ長１００ｍ程度のプラスチックフィルム、例えばＰＰフィルムの原反を真空成形機にセットし、加温、真空吸引によって型の形状に成形した後に、自動ラベル貼付け機を用いて形成された示温手段１１を真空成形を経たプラスチックフィルムの所定位置に貼付け、パンチ加工によって真空成形を経たプラスチックフィルムからコップ用蓋１を切り出すことにより、図４Ａに示すような示温手段１１を蓋本体１０の上面１０１に、または、図４Ｂに示すような示温手段１１を蓋本体１０の下面１０２に貼付けたコップ用蓋１が形成される。
【００２９】
また、図５Ａに示すように、示温手段１１は、印刷または塗布して蓋本体１０の上面１０１に、または、図５Ｂに示すように、印刷または塗布して蓋本体１０の下面１０２に設けられてもよいが、これに限らない。このような実施例において、サーモカラーをムラなく蓋本体１０の上面１０１または下面１０２に塗布または印刷して高温や紫外線によって硬化することにより、示温手段１１が形成される。
【００３０】
また、示温手段１１が貼付けや印刷、塗布によって蓋本体１０に設けられる場合、自動ラベル貼付け機や印刷、塗布設備が蓋本体１０の他の部分に邪魔されずに示温手段１１の貼付けや印刷、塗布を高速に行うように、示温手段１１は、図６Ａに示すように蓋本体１０の係合部１２の上面に揃った平面に最も遠い蓋本体の上面１０１に、または、図６Ｂに示すように蓋本体１０の係合部１２の底端に揃った蓋本体１０の下面１２に設けられることが好ましい。示温手段１１を多数の凸部と凹部を有する蓋本体１０の凹部に貼り付けたい場合、自動ラベル貼付け機や印刷、塗布設備が凸部に干渉されるので高速に作業を進めることができない。このため、本考案において、示温手段１１を蓋本体１０の係合部１２の上面に揃った平面に最も遠い蓋本体１０の上面１０１、または、蓋本体１０の係合部１２の底端に揃った蓋本体１０の下面１０２に設けるようにするので、自動ラベル貼付け機や印刷、塗布設備による高速の貼付けや印刷、塗布を行うことができ、高い歩留まり、速い生産速度が得られるという効果を奏する。
【００３１】
また、図６Ｃに示すように、蓋本体１０の飲み口１０３の箇所が凸部１０５になっており、この凸部１０５は、コップ２の内容物３が飲用されていないうちに冷めないように飲み口１０３を覆ってコップ２を密閉し、コップ２の内容物３を飲用するときに、折りたたんで凹部１０６に嵌める開閉部の機能をしている。このような実施例において、示温手段１１が貼付けや印刷、塗布によって蓋本体１０に設けられる場合、示温手段１１は、蓋本体１０の係合部１２の上面に揃った平面に最も遠い箇所である凸部１０５に対し、次に遠い蓋本体１０の上面１０１に設けられることが好ましい。自動ラベル貼付け機や印刷、塗布設備を用いて、高速に示温手段１１の貼付けや印刷、塗布をする場合、蓋本体１０の凸部１０５が示温手段１１の貼付けや印刷、塗布作業を邪魔しない経路に位置するように蓋本体１０を所定角度、例えば９０度を回転すれば、蓋本体１０の凸部１０５が示温手段１１の貼付けや印刷、塗布作業を邪魔しないので、自動ラベル貼付け機や印刷、塗布設備による高速の貼付けや印刷、塗布を行うことができ、高い歩留まり、速い生産速度が得られるという効果を奏する。
【００３２】
本考案において、示温手段１１は少なくとも１種類のサーモカラーを含むが、２種類以上のサーモカラーを含む場合、サーモカラーを１層ずつ積層して示温手段１１を形成してもよく、サーモカラーを混合して示温手段１１を形成してもよい。当業者であれば、必要に応じて適切に積層の数や混合の割合を調節することができ、また、変色しない材質をサーモカラーに混入してもよいが、これらに限定されない。
【００３３】
射出成形や真空成形、印刷、塗布によって形成される示温手段１１はともに本考案に係るコップ用蓋１の温度によって正確かつ即時に変色する効果を奏することができるので、本考案の示温手段１１を形成する方法は限定されない。
【産業上の利用可能性】
【００３４】
本考案に係る温度を示す機能を有するコップ用蓋を使用して高温の内容物が入ったコップを被冠した場合、内容物の温度がコップ用蓋または示温手段に伝わって、コップ用蓋に設けられた示温手段がコップの内容物に接触せずに内容物の温度を感知し、その時点の内容物の温度に対応した色、または、その温度が属する範囲に対応した色を表示する。コップ用蓋に設けられた示温手段が示す色を見るだけで内容物の温度が飲用に適しているのかを判断でき、熱傷を防止する効果を奏する。また、本考案に係る温度を示す機能を有するコップ用蓋は、低温の内容物にも適応できる。
【００３５】
上記実施例は単に本考案の原理および効果を例示的に説明するものであり、本考案を限定するものではない。この分野における技術の熟練者であれば、本考案の精神および意旨から逸脱しない範囲において、前記実施例を変更することができる。本考案に教示された内容物によって完成される同効の変更、修飾も本考案の範囲に含まれるものと見なされ、本考案の範囲は、請求の範囲に記載されるものとする。
【符号の説明】
【００３６】
１：コップ用蓋
２：コップ
３：内容物
１０：蓋本体
１０１：上面
１０２：下面
１０３：飲み口
１０４：通気口
１０５：凸部
１０６：凹部
１１：示温手段
１２：係合部
【図１】
0003207320.tif 000003
【図２】
0003207320.tif 000004
【図３Ａ】
0003207320.tif 000005
【図３Ｂ】
0003207320.tif 000006
【図４Ａ】
0003207320.tif 000007
【図４Ｂ】
0003207320.tif 000008
【図５Ａ】
0003207320.tif 000009
【図５Ｂ】
0003207320.tif 000010
【図６Ａ】
0003207320.tif 000011
【図６Ｂ】
0003207320.tif 000012
【図６Ｃ】
0003207320.tif 000013